(57)【特許請求の範囲】
【請求項１】
歯科用治療場（１）を制御する装置であって、
前記歯科用治療場（１）に接続されている計算機（２）と、
前記歯科用治療場（１）に配置されている、該歯科用治療場（１）を操作するための操作素子及び／又は該歯科用治療場（１）の状態を表示するための状態表示部（３）と、
前記操作素子及び／又は状態表示部（３）に関する情報（４）を機能コードの形態で前記歯科用治療場（１）から前記計算機（２）へと伝送するインタフェース（５、６）と、
１つまたは複数の機能コードに対応付けられたアクションが格納されている、前記計算機（２）におけるメモリ領域（７）とを備えた、歯科用治療場（１）を制御する装置において、
前記操作素子（３）の割当はアクティブなＰＣアプリケーションに依存し、及び／又は、該当する操作素子および／または状態表示部（３）に関する情報（４）に対応する機能コードは種々のＰＣアプリケーションにおいて種々のアクション対応付けを有し、
前記計算機（２）には前記機能コードを監視するソフトウェアが設けられており、該ソフトウェアを介して前記メモリ領域に記憶されているコンフィギュレーションデータファイル（７）において前記機能コードに対応付けられている、前記歯科用治療場（１）を制御するためのアクションを開始し、すなわちＰＣアプリケーションの起動、終了または切り替え、または実行されているＰＣアプリケーションにおける操作アクションを行い、
前記歯科用治療場（１）の前記操作素子及び／又は状態表示部（３）の機能コードの前記アクションへの対応付けが、前記ソフトウェアについての前記コンフィギュレーションデータファイル（７）の変更によりコンフィギュレーションされることを特徴とする、歯科用治療場（１）を制御する装置。
【請求項２】
前記ソフトウェアは、使用者による前記歯科用治療場（１）の操作素子及び／又は状態表示部（３）の機能コードの前記ＰＣアプリケーションへの対応付けのための調節ダイアログを有する、請求項１記載の装置。
【請求項３】
前記インタフェース（５、６）を介して、前記操作素子（３）の割当に関する情報（１１）を前記計算機（２）から前記歯科用治療場（１）へと伝送し、操作面（１２）を介して識別される、請求項１または２記載の装置。
【請求項４】
歯科用治療場（１）に接続されている計算機（２）と、前記歯科用治療場（１）に配置されている、該歯科用治療場（１）を操作するための操作素子及び／又は該歯科用治療場（１）の状態を表示するための状態表示部（３）と、前記操作素子及び／又は状態表示部（３）に関する情報（４）を機能コードの形態で前記歯科用治療場（１）から前記計算機（２）へと伝送するインタフェース（５、６）と、１つまたは複数の機能コードに対応付けられたアクションが格納されている、前記計算機（２）におけるメモリ領域（７）とを備えた装置を用いて歯科用治療場（１）を制御する方法であって、
前記計算機（２）は、１つまたは複数の機能コードの形態の前記情報（４）を、前記計算機（２）のメモリ領域（７）におけるコンフィギュレーションデータファイルと比較し、コンフィギュレーションデータファイルにおいて情報に対応付けられている、前記歯科用治療場（１）を制御するためのアクションを実施する、歯科用治療場（１）を制御する方法において、
さらに前記計算機（２）は、
前記機能コードを監視するソフトウェアを用いて前記情報の比較を行い、対応付けられたアクションを実施し、すなわちＰＣアプリケーションの起動、終了及び／又は実行されているＰＣアプリケーションの操作アクションを実施し、
アクティブなＰＣアプリケーションに依存する、前記歯科用治療場の前記操作素子及び／又は状態表示部の機能コードのアクションへの対応付けを設定し、前記コンフィギュレーションデータファイルの変更によりコンフィギュレーションすることを特徴とする、歯科用治療場（１）を制御する方法。
【請求項５】
前記ソフトウェアの調節ダイアログを介して、前記歯科用治療場の前記操作素子及び／又は状態表示部（３）の機能コードの前記ＰＣアクションへの対応付けを設定する、請求項４記載の方法。
【請求項６】
前記ソフトウェアを用いて複数のコンフィギュレーションを記憶する、請求項４または５記載の方法。
【請求項７】
当該の操作素子は種々のＰＣアプリケーションにおいて種々のアクション対応付けを有する、請求項４から６までのいずれか１項記載の方法。
【請求項８】
前記対応付けを前記歯科用治療場の操作面に表す、請求項４から７までのいずれか１項記載の方法。
【請求項９】
前記インタフェースを介して返送されたＰＣコンテクストを前記操作面（１２）に表示する、ないしアプリケーション固有の操作面（１２）に表示する、請求項４から８までのいずれか１項記載の方法。
【発明の詳細な説明】
【技術分野】
【０００１】
技術分野
本発明は、計算機（ＰＣ）と接続された歯科用治療場を動作させる装置及び方法に関する。
【０００２】
計算機を介して制御されるＰＣモニタを歯科用治療場へと組み込み、それによって歯科用治療場自体においてＰＣアプリケーションを表示させるには、通常の場合、接続されている計算機を歯科用治療場の環境から操作することが必要となる。
【０００３】
従来技術
操作用の通常のＰＣ端末装置、例えばマウスまたはキーボードの使用は取り扱い及び衛生上の理由から人間工学的ではない。したがって、例えば歯科用治療場に組み込まれたビデオカメラのサンプリング及び記録のような操作、またはこの用途と関連するフットスイッチの操作は歯科用治療場のインタフェースを介して計算機のインタフェースに伝送され、計算機においてこの機能のために設計されたアプリケーションが開かれると、所定のプログラミングされた機能がトリガされる。
【０００４】
ビデオカメラによって撮影され、モニタに表示される画像、例えば患者の口腔を計算機に記録するために治療シートと接続されたフットスイッチから送出された命令が治療シートのインタフェースを介して計算機に伝送されると、計算機ではアプリケーション内の相応の記憶命令が実行される。
【０００５】
ＰＣアプリケーションの別の操作は、通常はキー及びマウスであるＰＣの標準操作素子によってのみ可能である。
【０００６】
ＵＳ  ５，９６１，６１０から、プログラミングを行うことが可能な医療用画像再生システムが公知である。例えば、複数の画像が重なることなく１つの表示領域に表示される。この際、プログラムの実行を制御するためにウィンドウ内でスクリプトを作成することができる。このスクリプトは、プログラムの規則的な実行についてデバッガにおいて検査可能な、独立した小さいプログラミングと解される。機能キー自体の割当は言及されておらず、その結果機能キーの割当は従来技術によれば所定のプログラミングによって行うことを基礎とする。
【０００７】
本発明の課題は、効果的なやり方で歯科用治療場と接続された計算機を制御できる装置及び方法を提供することである。
【０００８】
発明の説明
この課題は独立請求項記載の特徴を有する装置及び方法によって解決される。従属請求項には本発明の別の構成が記載されている。
歯科用治療場に配置された操作素子及び／又は状態表示部と、操作素子及び／又は状態表示部に関する機能コードの形態の情報を歯科用治療場から計算機へと伝送するインタフェースと、１つまたは複数の機能コードに対応付けられたアクションが格納されている、計算機におけるメモリ領域とを備えた、計算機と接続された歯科用治療場を動作させる装置は、計算機には前記機能コードを監視するソフトウェアが設けられており、ソフトウェアを介してメモリ領域に記憶されているコンフィギュレーションデータファイルにおいて機能コードに対応付けられているアクションを開始し、すなわちＰＣアプリケーションの起動、終了または切り替え、または実行されているＰＣアプリケーションにおける操作アクションを行い、歯科用治療場の操作素子及び／又は状態表示部の機能コードのアクションへの対応付けが、ソフトウェアについてのコンフィギュレーションデータファイルの変更によりコンフィギュレーションされることを特徴とする。
【０００９】
自由にプログラミングできることによって、インタフェースを外部のＰＣアプリケーションによって、そのＰＣアプリケーションにおいて使用可能なコマンドの範囲内で使用できる。ＰＣアプリケーションを切り替えられると、機能コードに対応付けられたアクションも例えば新たな対応付けが格納されている相応のコンフィギュレーションデータファイルの呼出により切り替えられる。
【００１０】
実施形態によれば、ソフトウェアは調節ダイアログを有し、この調節ダイアログを用いて使用者は対応付けを行うことができる。
【００１１】
実施形態によれば、操作素子の割当はアクティブなＰＣアプリケーションに依存する。さらに、当該の操作素子は種々のＰＣアプリケーションにおいて種々のアクション対応付けを有することができる。
【００１２】
インタフェースは有利には、操作素子の割当に関する情報を計算機から歯科用治療場へと伝送することができ、操作面を介して識別することができる。
【００１３】
歯科用治療場に配置された操作素子を操作し、及び／又は、状態表示部をアクティブ化し、操作及び／又はアクティブ化に関する情報を歯科用治療場において形成し、情報を１つまたは複数の機能コードの形態で歯科用治療場から計算機へと伝送し、１つまたは複数の機能コードの形態の情報を、計算機のメモリ領域におけるコンフィギュレーションデータファイルと比較し、コンフィギュレーションデータファイルにおいて情報に対応付けられたアクションを実施する、計算機と接続された歯科用治療場を制御する方法は、情報の比較を、対応付けを管理し、使用されるＰＣアプリケーションに依存しないソフトウェアによって行い、ソフトウェアを介してアクションを実施し、すなわちＰＣアプリケーションの起動、終了及び／又は実行されているＰＣアプリケーションの操作アクションを実施し、歯科用治療場の操作素子及び／又は状態表示部の機能コードのアクションへの対応付けを設定し、コンフィギュレーションデータファイルの変更によりコンフィギュレーションすることを特徴とする。
【００１４】
有利には、ソフトウェアを用いて複数のコンフィギュレーションを記憶することができる。さらに、操作素子の割当はアクティブなＰＣアプリケーションに依存しても良い。実施形態によれば、当該の操作素子は種々のＰＣアプリケーションにおいて種々のアクション対応を有する。
【００１５】
有利には、対応付けは歯科用機器の操作面に表される。インタフェースを介して返送されるＰＣコンテクストを表示することができる、ないしアプリケーション固有の操作面に表示することができる。
【００１６】
本発明は、歯科用治療場における操作ないし、歯科用治療場の所定の状態変化のＰＣ機能へのコンフィギュレーション可能な使用者固有の対応付けを可能にする。種々のＰＣアプリケーションを制御するために、歯科用治療場の既存の操作面が使用される。
【００１７】
歯科用治療場の操作面をＰＣの状態、すなわちアクティブなＰＣアプリケーションに依存させて、ないしＰＣアプリケーションの直接的な制御によって構成することができる。
【００１８】
したがって使用者は、歯科用治療場において使用されるＰＣアプリケーションの操作ないしＰＣネットワークにおいて使用される他の機能の操作も、ＰＣの標準操作素子を用いずに行い、且つ個別にコンフィギュレーションすることができる。さらには、歯科用治療場の操作面においてＰＣ操作をＰＣアプリケーションに依存させて表すことは操作の高い潜在能力に導く。使用者の見地から、歯科用治療場の人間工学的な操作利点を伴う、歯科用機器の操作とＰＣの操作の（内部的／外部的）融合が行われる。
【００１９】
一方では歯科用治療場がＰＣ機能に関連させてコンフィギュレーションされ、他方では歯科用治療場の操作面をＰＣ制御のためにＰＣアプリケーションに依存させてコンフィギュレーション可能に構成することができる。
【００２０】
図面の簡単な説明
以下では図面に概略的に示されている、本発明を実施例に基づき詳細に説明する。ここで図１は、本発明による装置の機能要素である。図２は、装置の別の構成部分を備えた歯科用治療場である。
【００２１】
実施例
図１には、計算機２を備えた歯科用治療場１の機能要素が示されている。歯科用治療場１の機能キー３として規定された操作素子ないし状態変更は、アクティブ化時に機能コード４としてインタフェース５、６を介してＰＣ２へと送信される。
【００２２】
インタフェースを監視するソフトウェアは、計算機２のメモリ領域に格納されているコンフィギュレーションデータファイル７においてこの機能コードに対応付けられたアクション、例えばＰＣアプリケーション８、９、１０の起動または終了、または実行されているＰＣアプリケーションの任意の操作アクションを開始する。
【００２３】
調節ダイアログにおいて、使用者による歯科用機器の操作素子の機能コードのＰＣアクションへの対応付けをコンフィギュレーションできる。
【００２４】
機能キー３の割当は、アクティブなＰＣアプリケーションに依存させることができる。すなわち、当該の操作素子は種々のＰＣアプリケーションにおいて種々のアクション対応を有し、このために情報１１がインタフェース６、５を介して計算機２から歯科用治療場１へと伝送される。
【００２５】
歯科用機器の操作面１２のデザインに依存して対応付けが表され、またインタフェースを介して返送されたＰＣコンテクストが表示される。それに加え、アプリケーション固有の操作面に表示することができる。
【００２６】
インタフェースを管理するＰＣソフトウェアはＰＣコンテクストを検出し、すなわちＰＣソフトウェアはアクティブなアプリケーション及び相応のアプリケーションの切り替えを識別する。この検出は例えばＰＣオペレーションシステムのメカニズムによって行うことができるが、しかしながらアクティブなアプリケーションのＰＣソフトウェアへの通知によっても行うことができる。どのコンテクスト変更によって歯処置装置１の操作面１２にどの機能対応が割り当てられているかという規定は、コンフィギュレーションデータファイルの構成部分である。コンフィギュレーションに応じて、ＰＣアプリケーションへの機能コードの新たな対応付けはコンテクスト切り替え時に有効になる。
【００２７】
拡張的に、個々の操作素子３のＰＣコンテクストないし機能対応付けを通常の表示素子によって表す事ができるが、有利には歯科用治療場の操作面１２にグラフィック的に表すことができる。表示のグラフィック内容は同様にコンフィギュレーションデータファイルにおいて対応付けることができ、これらの情報１１を必要に応じてインタフェース５、６を介して歯科用治療場１にロードし、そこで操作面１２に表示される。このために単方向信号コネクション１３が設けられている。
【００２８】
操作面の概念は、歯科用治療場ないしＰＣの操及び状態作に関する情報内容が伝送され、殊に表示部によって識別を可能とする全ての装置と解される。
【００２９】
機能キーの代わりに付加的な切り替え素子、例えばフットスイッチも機能コードの計算機への伝送をトリガし、同様に状態表示部と解することができる機器による取得識別もトリガする。操作素子を操作面に取り付け、信号線路１４、１５を介してインタフェースと共に機能する。
【００３０】
デンタルユニットには固有のメモリ領域を設けることもでき、その内容を計算機のコンフィギュレーションデータファイルを介して変更することができ、このメモリ領域は操作面１２及び操作素子３と共働する。
【００３１】
図２には、装置の別の構成部分を備えた歯科用治療場１が示されている。つまり、複数のキー及び表示部１２を有し歯科用治療場と接続された操作素子３並びに入力キー１８を備えた計算機２及びこの計算機と接続されたＰＣアプリケーションを表示するための画面１２′が示されている。歯科用治療場１と接続されたフットスイッチ１６を介して機器１７を制御することができる。
【００３２】
方法をソフトウェアの形態で１つまたは複数の方法請求項に応じて記すことができる。データ媒体は、コンピュータにおいて１つまたは複数の方法請求項による方法を実現する、実行可能なデータ構造を包含することができる。
【００３３】
次の表には、歯科用治療場の状態に依存し、歯科用治療場において生成されるＰＣ機能についての機能コードの例が示されている。
【００３４】
【表１】
0004662707.tif 000002
【００３５】
歯科用治療場からは、ＰＣ状態に依存せずに状態変更が機能コードの形態で送信される。ＰＣにおいて実行されるインタフェースのためのソフトウェアはＰＣコンテクスト、すなわちアクティブなアプリケーションを検出し、アプリケーション固有にコンフィギュレーションされた機能を切り替える。
【００３６】
ＰＣコンテクスト並びに対応付けられた機能は、歯科用治療場の操作面において有利にはアプリケーション固有のシンボルによって表示される。
【図面の簡単な説明】
【００３７】
【図１】本発明による装置の機能要素である。
【図２】装置の別の構成部分を備えた歯科用治療場である。
【図１】
0004662707.tif 000003
【図２】
0004662707.tif 000004